(57)【要約】      （修正有）【課題】食器洗浄機の洗浄効率を上げるため、また、ワイングラス等のガラス容器にグラススポット（カルシュウムスケールによる白い斑点）が残らないように、温軟水の利用が有効であり、料理や、コーヒー等をおいしく入れるためにも、軟水が有効であり、また、美容院等での洗髪等にも使用できる軟水器を提供する。【解決手段】容器の中心部を通る軟水導管５の直径は、大型軟水器は太い軟水導管が必要で（２８ミリ）、中、小軟水器の軟水導管５の直径は、比較的細い軟水導管でよい。（２０ミリ）。軟水導管５の直径が太くなっても、頭部にねじ込む、配管体２のネジ部径を共通化して、頭部配管体２と軟水導管５の接続構造を合理的に構成しようとするものである。頭部配管体２と軟水導管５の接続構造に於いて、頭部配管体２中心部を軟水導管５の流路が、垂直に貫通するよう構成した。【選択図】図８
0003139488.tif 000002
【実用新案登録請求の範囲】
【請求項１】
イオン交換樹脂３を満たしたタンク１と、水道水導入管７、上下にフィルター４，６を有する軟水導管５、軟水排出Ｔ字管１９、食塩水導入管２２を設けた頭部配管体２とよりなる軟水器本体に於いて、前記軟水導管５を、前記頭部配管体２の中心部を垂直に貫通するよう構成した頭部配管体２を有する軟水器。
【考案の詳細な説明】
【技術分野】
【０００１】本考案は、水道水を、より軟水にする軟水器に関するものである。
【背景技術】
【０００２】家庭、外食産業等で、食器洗浄機の洗浄効率を上げるため、温軟水を使用する軟水器が普及している。また、食材調理に、お茶、コーヒー等をおいしく入れるため、中、小容量の軟水器が普及している。（図１）
最近は、ホテル等大施設の食器洗浄機の利用、特に、ワイングラス等のガラス容器にグラススポット（カルシュウムスケールによる白い斑点）が残らないように、温軟水を使用する大容量の軟水器の需要が増えている。
【考案の開示】
【考案が解決しようとする課題】
【０００３】イオン交換樹脂の大、中、小容器の軟水器の、頭部配管体２のネジ部径２−６が共通化できれば、大きさもコンパクトになり、部品単価、部品管理の点で好都合である。
一方、軟水器タンク１の中心部を通る軟水導管５の直径は、大型容量軟水器では太い軟水導管が必要で（２８ミリ）、中、小軟水器の軟水導管５の直径は、比較的細い軟水導管でよい。（２０ミリ）。このように、軟水導管５の直径が太くなっても、頭部配管体２のネジ部径２−６を大きくしないで、共通化し、頭部配管体２と軟水導管５の接続構造を合理的に構成しようとするものである。
【考案が解決するための手段】
【０００４】本考案は、従来の中、小容量軟水器の頭部配管体２のネジ部径２−６を、大きくしないで、大型容量軟水器１の頭部配管体２のネジ部径２−６を共通に構成しようとすると、軟水導管５が太く、類似構造にすることが出来ない。
そこで、頭部配管体２と軟水導管５の接続構造に於いて、頭部配管体２の中心部を軟水導管５の流路が、垂直に貫通するよう構成し、軟水排出口１９に導くようにする。
【考案の効果】
【０００５】１：大、中、小容量の軟水器の頭部配管体２のネジ部径２−６を共通化することにより、頭部配管体２の大きさがコンパクトになり、部品単価、部品管理に好都合である。
２：大容量軟水器は、その性質上、比較的その高さ方向の自由度はあり、頭部配管体２中心部を軟水導管５が垂直上方に貫通せしめることができ、頭部配管体２の構造が簡単になる。
３：大容量軟水器で、温水をイオン交換樹脂３で軟水にするとき、容量が大きくなっただけ、気泡が発生し易くなる。軟水導管５の流路が直になると、その気泡が流出しやすくなる利点がある。
４：大型軟水器の頭部配管体２の中心上部より、温軟水が排出されるので、配管状態が一目で分かるようになる。
【考案を実施するための最良の形態】
【０００６】まず、軟水器１の設置、配管についての使用形態について（図１）（図２）により説明する。（図１）は軟水器１をステンレス流し台６０の上の食器洗浄機５２に直結して使用する中、小軟水器の見取図で、（図２）は大型軟水器を使用した時の見取図を示す。
水道水蛇口５０と軟水器１を水道水導管５１で直結する。軟水器１から採取した軟水を食器洗浄機５２へ送り込むため、軟水送り管１６で直結する。食器洗浄機５２の排水口５４より、洗浄水を食器洗浄機排水管５５で排水配管して置く。
食塩水チューブ５７で軟水器１のイオン交換樹脂３に食塩水タンク５６の食塩水を流し込み、劣化したイオン交換樹脂３を再生、活性化するため、配管されてある。
これで本考案、軟水器の設置が完了する。【０００７】次に、軟水器１内部のコック、配管、水道水の流れについて、（図３）コック、配管線図により説明する。
１：軟水器タンク内の空気を抜きながら、水道水を満たし、初期使用準備する場合について説明する。
軟水器１の二方向切り替え給水コック８を、軟水器１側に切り替え、水道水蛇口５０を開いて、軟水器１に水道水を満たして行く。軟水器タンク内上部に溜まった空気を抜くため、食塩水吸入コック１１を開いて、さらに、軟水器１に水道水を満たし続けて行く。食塩水吸入コック１１より、空気が抜け、水道水が出始めると軟水器タンク内に水道水が満たされる。
食塩水吸入コック１１、水道水蛇口５０を閉じて、初期使用準備が完了する。
２：軟水を食器洗浄機５２に流し、食器を洗浄する操作を説明する。
軟水器の二方向切り替え給水コック８を、軟水器１側に切り替え、水道水蛇口５０を開いて、軟水器１に水道水を満たして行く。
水道水は軟水器１のイオン交換樹脂３で軟水にして、軟水導管５の下から上に流れ、Ｔ字管１９、軟水口コック１７、軟水送り管１６より食器洗浄機５２に流され、食器が効率よく洗浄される。
３：軟水化し続けると、イオン交換樹脂３が劣化しＣａイオン、Ｍｇイオンを吸着できなくなるので、食塩水のＮａイオンで再生する必要がある。【０００８】この再生操作について説明する。
大型軟水器１で、樹脂量６０リットルの場合、予め、食塩６Ｋｇを食塩水タンク５６に入れ、４５〜６０ｌの水でよく溶かしておく。
食塩水吸入コック１１に食塩水吸入チューブ５７を挿入し、他端を前記食塩水タンク５６に入れておく。
軟水口コック１７を閉じ、排水口コック１８を開き。食塩水吸入コック１１を開き、二方向切り替え給水コック８は、食塩水吸入コック１１側に開き、水道水蛇口５０を開く。
水道水がイオン交換樹脂３の中を通って、排水口コック１８より軟水排水管１３に流されるとき、水道水流速により、食塩水吸入コック１１よりインジェクター作用により、食塩水が吸入され約１５分〜２０分で再生が完了するので、水道水蛇口５０を閉じる。
５：再生が完了し、イオン交換樹脂の水洗について説明する。
食塩水吸入コック１１を閉じ、排水口コック１８を閉じ、軟水口コック１７を開き、二方向切り替え給水コック８は、軟水器１方向側に開き、水道水蛇口５０を開く
水道水は、このイオン交換樹脂３を水洗し、５分間で水洗が完了する。
６：再生されたかの検水する場合について説明する。
軟水口コック１７、排水口コック１８を閉じ、軟水採取コック１４を開きコップに水を取ったら、軟水採取コック１４閉める。
コップに取った水に硬度指示薬を１滴たらし、青色ならば再生完了。赤紫色であれば更に再生操作を繰り返す。
７：途中での空気抜き操作について説明する。
まず、全てのコックを閉じておく
二方向切り替え給水コック８は、軟水器１側に開き、水道水蛇口５０を開いて、軟水器１に水道水を入れ、内圧が一定圧になったら、水道水蛇口５０を閉じる。食塩水吸入コック１１を、ゆっくり開いて空気を抜き、水が出たら空気抜きが完了。食塩水吸入コック１１を閉めておく。
【実施例】
【０００９】    従来の中、小容量の軟水器１の構造について、本考案に関する要部についてのみ（図４）（図５）で簡単に説明し、その課題を図面により明確にする。
１は軟水器タンクで開口部に軟水器口金１−１が溶接されている。内部にはイオン交換樹脂３が入れられている。軟水器口金１−１には頭部配管体２が０リング２−１を介してネジ部２−６でねじ込まれている。軟水器タンク１の内部には、上部フィルター４、下部フィルター６を設けた軟水導管５が頭部配管体２にねじ込まれている。頭部配管体２の側面には、水道水導入管７、軟水吐き出しのＴ字管Ａ１５が設けられている。頭部配管体２の上面には、食塩水を導入するエルボーＢ１２が設けられている。
更に、解り易くするため、各部分図にして説明する。
（図６）は、頭部配管体２の断面図で、（図７）は、その上面図を示す。
水道水は、水道水導入口２−３から矢印の方向に流れ、中心部より軟水流出口２−５より排出される。２−４は食塩水導入口である。【００１０】  この中、小容量の軟水器の頭部配管体２のネジ部２−６を共通化して、大型軟水器の頭部配管体２を合理的に構成しようとするものである。
大型軟水器の軟水導管５は、その性質上、直径を太くする必要がある。
そこで本考案、軟水器の一実施例について説明する。
（図８）は、その軟水器１の断面図を示す。
軟水器タンク１の頭部に軟水器タンク口金１−１が溶接されている。該ネジ部径２−６は、従来の中小容量の軟水器の軟水器タンク口金１−１と同じである。該軟水器タンク口金１−１に、頭部配管体２がＯリング２−１を介してねじ込まれている。該頭部配管体２の中心部に下部フィルター６を設けた軟水導管５がねじ込まれている。該軟水導管５の上部には円筒状の上部フィルター４が押さえ環４Ａで取り付けられている。頭部配管体２の右側面には水道水導入管７が、左側面には食塩水導入管２２が、上部には軟水を流し出すＴ字管１９がそれぞれねじ込まれている。
（図９）は（図８）上面図である。８は二方向切り替え給水コックで水道水導管５１の水道水を直接軟水器１に導入する水道水導入管７への流路と、インジェクター付継ぎ手２０より食塩水を吸入しながら、軟水器１に導入する食塩水導入管２２への流路とを切り替える。１０は蛇管で食塩水を吸入する流路をつくる導管である。２０はインジェクター付継ぎ手で、食塩水吸入コック１１がねじ込まれている。
（図１０）は、本考案の要部である頭部配管体２に上下フィルター４，６を設けた軟水導管５を取り付けた断面図である。軟水導管５の先端外径にはネジ５−１が設けられ、頭部配管体２にねじ込まれている。円筒形フィルター４が押さえ環４Ａで、取り付かれている。６は下部フィルターで心金のコイルバネ６−２に金網フィルター６−３で覆ってある。該下部フィルター６は、軟水導管５の下部にネジ６−１で固定されている。矢印は水道水の流れ方向を示す。
（図１１）は、本考案の要部である頭部配管体２の断面図を示す。２−６はネジ部で大、中小容量の配管体２で共通に構成されている。２−７ネジ部に軟水導管５がねじ込まれる。２−８は円筒フィルター４の差込み溝である。
（図１２）は（図１１）の下面図である。【００１１】（図１３）は、二方向切り替え給水コック８の正面図で（図１４）は、その側面図を示す。
８−２は、水道水導入口で、８−３は軟水器タンク１方向へ、８−１は、食塩水吸入コック１１への切り替え口である。８−４はその切り替えハンドルである。
（図１５）は、食塩水吸入コック１１の正面図で、（図１６）はその上面図を示す。
１１−１はハンドルで、１１−２は食塩水チューブ５８を差し込む口金、１１−３はインジェクター付継ぎ手２０へのねじ込み用ネジ部である。
（図１７）Ａは、インジェクター付継ぎ手２０の断面図。Ｂはその側面図を示す。
２０−１は、食塩水吸入コック１１をねぎ込むネジ部、２１−２、２１−３は連結ネジ部２０−４、２０−５は水道水の流速を変えるノズル部である。矢印は流れ方向を示す。
（図１８）は、Ｔ字管１９に、軟水採取コック１４と排水口コック１８のねじ込んだ時の正面図で、（（図１９）は、その側面図を示す。矢印は流れ方向を示す。
【図面の簡単な説明】
【００１２】
【図１】従来の中、小容器の軟水器を、ステンレス流し台６０の上の食器洗浄機５に直結して使用する時の見取図
【図２】本考案の大型容量の軟水器をステンレス流し台６０の上の食器洗浄機５２に直結して使用する時の見取図
【図３】本考案軟水器１の各コック、導管、継ぎ手で配管した時の説明線図
【図４】従来の中、小容量軟水器１の一部断面図
【図５】（図４）の上面図
【図６】（図４）の頭部配管体２の断面図
【図７】（図６）の上面図
【図８】本考案、大型の軟水器１の一部断面図
【図９】（図８）の上面図
【図１０】本考案大型の軟水器１の頭部配管体２の断面図
【図１１】頭部配管体２の断面図
【図１２】（図１１）の下面。
【図１３】二方向切り替え給水コック８の上面図
【図１４】（図１３）の側面図
【図１５】食塩水吸入コック１１の側面図
【図１６】（図１５）の上面図
【図１７】Ａはインジェクター付継ぎ手２０の断面図。Ｂは側面図
【図１８】Ｔ字管１９に軟水採取コック１４と排水口コック１８の組み付け正面図
【図１９】（図１８）の側面図
【符号の説明】
【００１３】  １  軟水タンク  １−１軟水器タンク口金      ２  頭部配管体
３  イオン交換樹脂                          ４  上部フィルター
５  軟水導管                                ６  下部フィルター
７  水道水導入管                            ８  二方向切り替え給水コック
９  エルボーＡ                            １０  蛇管
１１  食塩水吸入コック                      １２  エルボーＢ
１３  軟水排水管                            １４  軟水採取コック
１５  Ｔ字管Ａ                              １６  軟水送り管
１７  軟水口コック                          １８  排水口コック
１９  Ｔ字管                                ２０  インジェクター付継ぎ手
２１  水道水コック                          ２２  食塩水導入管
５０  水道水蛇口                            ５１  水道水導管
５２  食器洗浄機                            ５３  食器洗浄機洗浄水口
５４  食器洗浄機排水口                      ５５  食器洗浄機排水管
５６  食塩水タンク                          ５７  食塩水チューブ
６０  ステンレス流し台
【図１】
0003139488.tif 000003
【図２】
0003139488.tif 000004
【図３】
0003139488.tif 000005
【図４】
0003139488.tif 000006
【図５】
0003139488.tif 000007
【図６】
0003139488.tif 000008
【図７】
0003139488.tif 000009
【図８】
0003139488.tif 000010
【図９】
0003139488.tif 000011
【図１０】
0003139488.tif 000012
【図１１】
0003139488.tif 000013
【図１２】
0003139488.tif 000014
【図１３】
0003139488.tif 000015
【図１４】
0003139488.tif 000016
【図１５】
0003139488.tif 000017
【図１６】
0003139488.tif 000018
【図１７】
0003139488.tif 000019
【図１８】
0003139488.tif 000020
【図１９】
0003139488.tif 000021